(57)【要約】【課題】１つのＬＥＤ素子よりも広い照射範囲を実現でき、しかも照射範囲における輝度むらを抑制した光源モジュールを提供する。【解決手段】光源モジュール１は、第１の面５ａ、第１の面５ａと反対側に設けられた第２の面５ｂ、及び側面５ｃを有する板状のレンズ５と、レンズ５の第１の面５ａの側面５ｃ近傍に形成された複数の凹部５０と、複数の凹部５０に光を入射させる複数のＬＥＤ素子４と、レンズ５の第２の面５ｂの複数の凹部５０に対向する位置に形成され、複数の凹部５０に入射して到達した光を、主に第１の面５ａ側の斜め方向に反射する複数の反射面５１と、レンズ５の第１の面５ａに形成され、複数の反射面５１で斜め方向に反射した光を散乱させ、散乱した光を第２の面５ｂ又は側面５ｃから外部に出射させる複数の散乱部５２とを備える。【選択図】図３
2019125523.tif 000002
【特許請求の範囲】
【請求項１】
第１の面、前記第１の面と反対側に設けられた第２の面、及び側面を有する板状の透明部材と、
前記透明部材の前記第１の面の前記側面近傍に形成された複数の入射面と、
前記複数の入射面に光を入射させる複数の発光素子と、
前記透明部材の前記第２の面の前記複数の入射面に対向する位置に形成され、前記複数の入射面に入射して到達した光を、主に前記第１の面側の斜め方向に反射する複数の反射面と、
前記透明部材の前記第１の面に形成され、前記複数の反射面で前記斜め方向に反射した光を散乱させ、散乱した光を前記第２の面又は前記側面から外部に出射させる複数の散乱部と、
を備えた光源モジュール。
【請求項２】
前記散乱部は、アスペクト比（高さｈ／直径ｄ）が１．５以上の空洞部によって構成された、
請求項１に記載の光源モジュール。
【請求項３】
前記透明部材の前記第１の面は、中心から前記側面に向かって前記散乱部の密度が大きくなる複数の領域を有する、
請求項１又は２に記載の光源モジュール。
【請求項４】
当該光源モジュールを格子状に配列した場合に、前記複数の散乱部は、対角方向のピッチを他の方向のピッチよりも大きくなるように配列された請求項１から３のいずれか１項の記載の光源モジュール。
【請求項５】
前記複数の発光素子のうち、当該光源モジュールを格子状に配列した場合に、対角方向に位置する前記発光素子を他の発光素子よりも大きい電流を供給する回路、をさらに備えた、
請求項１から４のいずれか１項に記載の光源モジュール。
【請求項６】
背面板及び４つの側面板を有する筐体と、
前記筐体の開口に設けられた表示部と、
前記筐体の前記背面板上に格子状に配列され、前記表示部に背面側から照明光を照射する請求項１から５のいずれか１項に記載の複数の光源モジュールと、
を備えた面状発光装置。
【発明の詳細な説明】
【技術分野】
【０００１】
本発明は、複数の発光素子を有する光源モジュール及びそれを用いた面状発光装置に関する。
【背景技術】
【０００２】
従来、ＬＥＤ素子を格子状に配列した面状発光装置が提案されている（例えば、特許文献１参照）。
【０００３】
特許文献１に記載された面状発光装置は、前面板、背面板及び４つの側面板を有する筐体と、筐体の背面板上に配置され、前面板を照明する複数の面発光モジュールとを備える。面発光モジュールは、長尺状の基板と、基板の長手方向に沿って実装された複数のＬＥＤ素子とを有する。複数の面発光モジュールは、基板の幅方向に所定の間隔を有して背面板上に配置され、照射対象である前面板の直上を照明する、いわゆる直下型のモジュールである。複数の面発光モジュールを基板の幅方向に配置することにより、ＬＥＤ素子は格子状に配列される。
【先行技術文献】
【特許文献】
【０００４】
【特許文献１】特開２００７−０３６１３２号公報
【発明の概要】
【発明が解決しようとする課題】
【０００５】
しかし、従来の面状発光装置によると、前面板に対して１つのＬＥＤ素子が照射する範囲はＬＥＤ素子の直上の一定の円形領域となることから、筐体を薄型化すると、ＬＥＤ素子と前面板との距離が短くなり、前面板に輝度むらが現れやすくなる。一方、ＬＥＤ素子の数を増やしてＬＥＤ素子の配列ピッチを小さくすれば、前面板に輝度むらが現れにくくなるが、コスト高を招くことになる。
【０００６】
そこで、本発明の課題は、１つのＬＥＤ素子よりも広い照射範囲を実現でき、しかも照射範囲における輝度むらを抑制した光源モジュールを提供することにある。
【０００７】
また、本発明の他の課題は、面状発光装置を薄型化しても、照射対象における輝度むらを抑制した面状発光装置を提供することにある。
【課題を解決するための手段】
【０００８】
本発明は、上記課題を解決するため、第１の面、前記第１の面と反対側に設けられた第２の面、及び側面を有する板状の透明部材と、
前記透明部材の前記第１の面の前記側面近傍に形成された複数の入射面と、
前記複数の入射面に光を入射させる複数の発光素子と、
前記透明部材の前記第２の面の前記複数の入射面に対向する位置に形成され、前記複数の入射面に入射して到達した光を、主に前記第１の面側の斜め方向に反射する複数の反射面と、
前記透明部材の前記第１の面に形成され、前記複数の反射面で前記斜め方向に反射した光を散乱させ、散乱した光を前記第２の面又は前記側面から外部に出射させる複数の散乱部と、を備えた光源モジュールを提供する。
【０００９】
また、本発明は、上記他の課題を解決するため、背面板及び４つの側面板を有する筐体と、
前記筐体の開口に設けられた表示部と、
前記筐体の前記背面板上に格子状に配列され、前記表示部に背面側から照明光を照射する複数の上記光源モジュールと、を備えた面状発光装置を提供する。
【発明の効果】
【００１０】
本発明の光源モジュールによれば、１つのＬＥＤ素子よりも広い照射範囲を実現でき、しかも照射範囲における輝度むらを抑制することができる。
本発明の面状発光装置によれば、面状発光装置を薄型化しても照射対象における輝度むらを抑制することができる。
【図面の簡単な説明】
【００１１】
【図１】図１は、本発明の第１の実施の形態に係る光源モジュールの平面図である。
【図２】図２は、図１に示す光源モジュールの正面図である。
【図３】図３（ａ）は、図１のＡ−Ａ線断面図、図３（ｂ）は、図３（ａ）のＢ部拡大図である。
【図４】図４は、レンズを第１の面側から見た底面図である。
【図５】図５は、ＬＥＤ素子から出射される光の様子を説明するための図である。
【図６】図６は、変形例１に係る光源モジュールの平面図である。
【図７】図７は、本発明の第２の実施の形態に係る広告看板を示し、（ａ）は（ｂ）のＣ−Ｃ線断面図、（ｂ）は（ａ）に示す構成から広告表示部を取り除いた平面図である。
【図８】図８は、基板に形成された点灯回路の一例を示す図である。
【図９】図９（ａ）は、比較例に係るレンズの散乱部の配列を説明するための要部平面図、図９（ｂ）は、変形例２に係るレンズの散乱部の配列を説明するための要部平面図である。
【図１０】図１０は、実施例の看板と比較例の看板について行ったシミュレーション結果を示す図である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［第１の実施の形態］
図１は、本発明の第１の実施の形態に係る光源モジュールの平面図、図２は、図１に示す光源モジュールの正面図、図３（ａ）は、図１のＡ−Ａ線断面図、図３（ｂ）は、図３（ａ）のＢ部拡大図である。
【００１４】
この光源モジュール１は、ベース２と、ベース２の上面２ａに配置された基板３（図３参照）と、基板３に実装された複数のＬＥＤ素子４Ａ、４Ｂ（これらを総称するときは「ＬＥＤ素子４」ともいう。）と、基板３上に配置されたレンズ５とを備える。ＬＥＤ素子４は、発光素子の一例である。なお、発光素子として、例えば、レーザ等の他の素子を用いてもよい。レンズ５は、透明部材の一例である。
【００１５】
ベース２は、例えば、所定の厚さ（例えば、３ｍｍ）の正方形を有した板状であり、上面２ａ、下面２ｂ、側面２ｃを有する。ベース２の形状を正方形とすることにより、側面２ｃが基準となって光源モジュール１を格子状に配列し易くなる。格子状に配列とは、光源モジュール１を被取付部材上に縦方向及び横方向に配置した状態をいう。ベース２は、例えば、アクリル樹脂、ポリカーボネート樹脂等の樹脂や、アルミニウム等の金属から形成されている。
【００１６】
ベース２は、図３に示すように、上面２ａに防水構造用の溝２ｄが環状に形成されている。また、ベース２には、光源モジュール１をネジにより被取付部材に取り付けるための穴２ｅ及び長穴２ｆが形成されている。また、ベース２には、ＬＥＤ素子４に電源を供給するためのリード線３５を収容する溝２ｇが形成されている。
【００１７】
基板３は、例えば、所定の厚さ（例えば、１ｍｍ）のガラス基材（例えば、ＦＲ−４等）、エポキシ系・ポリエステル系コンポジット基材（例えば、ＣＥＭ−３等）等の絶縁性の基材に、銅箔等の金属配線がパターニングされたプリント回路基板（ＰＣＢ）である。
【００１８】
ＬＥＤ素子４は、レンズ５の第１の面５ａの側面５ｃの近傍に等間隔（例えば、４５°）で複数個（例えば、８個）配列されている。図１に示す場合、ＬＥＤ素子４Ａは、対角方向に配置され、ＬＥＤ素子４Ｂは、上下方向及び左右方向に配置されている。ＬＥＤ素子４は、例えば、フリップチップタイプのものを用いることができる。ＬＥＤ素子４は、例えば、青色ＬＥＤを蛍光体により波長変換して白色を発光可能に構成されたものでもよい。なお、ＬＥＤ素子４の数は、８個に限定されず、４個、６個等の偶数個でもよく、３個、５個等の奇数個でもよい。ＬＥＤ素子４を等間隔で偶数個を配列した場合は、第２の実施の形態で説明する電流制御を行いやすくなる。
【００１９】
（レンズの構成）
レンズ５は、第１の面５ａ、第１の面５ａと反対側に設けられた第２の面５ｂ、及び側面５ｃを有する所定の厚さ（例えば、基板３から上側の厚さが５ｍｍ）の板状の透明部材から構成されている。第１の面５ａ及び第２の面５ｂは、例えば、直径７０ｍｍの円形を有している。
【００２０】
レンズ５は、図３に示すように、第１の面５ａの側面５ｃの近傍に形成され、ＬＥＤ素子４から出射された光が入射する複数の凹部５０と、第２の面５ｂの複数の凹部５０に対向する位置に形成され、複数の凹部５０に入射して到達した光を、主に第１の面５ａ側の斜め方向に反射する複数の反射面５１と、第１の面５ａに形成され、複数の反射面５１で反射して到達した光を散乱させる複数の散乱部５２とを備える。側面５ｃの近傍とは、例えば、第１の面５ａの中心と側面５ｃとの中間位置よりも側面５ｃ寄りの位置をいう。
【００２１】
また、レンズ５は、第１の面５ａに形成され、ベース２に形成された溝２ｄに配置される凸部５３を備える。レンズ５の凸部５３とベース２の溝２ｄとの間にシリコーン樹脂等の接着剤を充填し、レンズ５の凸部５３をベース２に固定する。
【００２２】
凹部５０は、底面を構成する所定の直径（例えば、３．５ｍｍ）の第１入射面５０ａ、及び所定の高さ（例えば、１．４ｍｍ）の側面を構成する第２入射面５０ｂを有する。
【００２３】
反射面５１は、所定の直径（例えば、９ｍｍ）の円形を有し、第１入射面５０ａに入射して到達した光を、主に第１の面５ａ側の斜め方向に反射するように第１入射面５０ａの中心から平面の第２の面５ｂに接続するように漸次広がる漏斗状に形成されている。反射面５１の円は、本実施の形態では、側面５ｃに接しているが、側面５ｃから離間していてもよい。
【００２４】
レンズ５は、例えば、アクリル樹脂、ポリカーボネート樹脂等の光透過性を有する透明部材から形成されている。
【００２５】
（散乱部の構成）
散乱部５２は、例えば、図３（ａ）、（ｂ）に示すように、空洞部によって構成されている。なお、図３では、散乱部５３を誇張して大きく図示している。散乱部５２の形状は、例えば、円錐状であるが、これに限られず、角錐、円柱、角柱等でもよい。
【００２６】
次に、散乱部５２の機能を図３（ｂ）を参照して説明する。散乱部５２には、ＬＥＤ素子４から出射され、反射面５１で反射した光や、第２の面５ｂで反射した光等が入射する。図３（ｂ）に示すように、散乱部５２に入射した入射光ａは、様々な方向に散乱する。散乱した光のうち光ｂは、第２の面５ｂから外部に出射する。また、散乱した光のうち光ｃは、第２の面５ｂで反射して再び散乱部５２に入射するか、側面５ｃから外部に出射する。散乱部５２のアスペクト比（高さｈ／直径ｄ）が１に近いと、入射角度と屈折率差から光ｃの光量よりも光ｂの光量が増える。アスペクト比がゼロに近くなると、散乱部５２に入射する光は全反射しやすくなり、光ｃの光量が増えて光ｂの光量が減る。
【００２７】
散乱部５２のアスペクト比（ｈ／ｄ）は、１．５以上又は２以上とするのが好ましい。アスペクト比が１．５未満だと、第２の面５ｂの中心部に到達する光量が増減し、この結果、第２の面５ｂの中心部から上方に出射する光量も増減し、第２の面５ｂの中心部に輝度むらが発生しやすくなる。散乱部５２は、例えば、直径ｄは６００〜６５０μｍ、高さｈは１２００〜１３００μｍである。
【００２８】
図４は、レンズ５を第１の面５ａ側から見た底面図である。レンズ５の第１の面５ａは、中心から側面５ｃに向かって散乱部５２の密度が大きくなる異なる複数の領域、例えば、第１の領域５３ａ及び第２の領域５３ｂを有する。第１の領域５３ａにおける散乱部５２の密度は、例えば、０．３個／ｍｍ２であり、第２の領域５３ｂは、例えば、０．９個／ｍｍ２である。散乱部５２の密度を大きくすることにより、図３（ｂ）に示す光ｃよりも光ｂの割合が大きくなる傾向にある。また、側面５ｃから外部に出射する光が側面５ｃの曲率によって集光し、ＬＥＤ素子４の位置に対応した筋状の輝度むらが発生するが、散乱部５２の密度を、内側の第１の領域５３ａよりも外側の第２の領域５３ｂを大きくすることにより、筋状の輝度むらを抑制することができる。また、外側の密度を大きくした方が、光源モジュール１としての配光が滑らかな正規分布に近くなり、看板内に複数個を格子状に並べた際に輝度むらが抑制される。また、散乱部５２のアスペクト比及び密度を変えることにより、上方への出射光量と水平方向に伝搬する光量との割合を制御することができる。
【００２９】
なお、第１の領域５３ａと第２の領域５３ｂとの間に散乱部５２が存在しない領域があってもよい。散乱部５２の密度が異なる領域は、２つに限られず、３つ以上でもよい。
【００３０】
（光源モジュールの動作）
図５は、ＬＥＤ素子４から出射される光の様子を説明するための図である。リード線３５を介して各ＬＥＤ素子４Ａ、４Ｂに同一の電流を供給すると、各ＬＥＤ素子４Ａ、４Ｂからほぼ同一の光量の光が出射される。
【００３１】
図５に示すように、ＬＥＤ素子４Ｂから光が出射されると、様々な方向に光ｉ〜ｖが出射される。光ｉは、第１入射面５０ａに入射した後、反射面５１に到達し、反射面５１で反射して散乱部５２の方向に進む。光iiは、第１入射面５０ａに入射した後、反射面５１を透過して外部に出射する。光iiiは、第２入射面５０ｂに入射した後、第２の面５ｂで反射した後、散乱部５２又は側面５ｃの方向に進む。光ivは、第２入射面５０ｂに入射した後、側面５ｃに直接到達し、側面５ｃから外部に出射する。光ｖは、第１入射面５０ａに入射した後、反射面５１で反射して側面５ｃから外部に出射する。
【００３２】
光ｉや光iiiは、図１においてレンズ５の中心に向かう。図４に示す第２の領域５３ｂの散乱部５２に到達した光は、一部の光は第２の面５ｂから外部に出射し、一部の光は第１の領域５３ａの散乱部５２に到達する。レンズ５の第２の面５ｂ全体が出射面となり、光源モジュール１の直上の照射範囲の輝度むらが抑制される。
【００３３】
（第１の実施の形態の作用、効果）
本実施の形態の光源モジュール１によれば、以下の作用、効果を奏する。
（１）レンズ５の側面５ｃ近傍に配置されたＬＥＤ素子４から出射された光は、散乱部５２の機能により、一部の光が第２の面５ｂから上方に出射しつつレンズ５の中心部まで伝搬することから、第２の面５ｂ全体が出射面となり、光源モジュール１の直上の照射範囲の輝度むらを抑制することができる。
（２）散乱部５２のアスペクト比及び密度により、上方への出射光量と水平方向に伝搬する光量との割合を制御することができることから、直上の照射範囲の輝度むらを抑制したレンズ５の設計の自由度が高くなる。
（３）第２の面５ｂ全体が出射面となり、見掛けの光源を大きくすることができる。
【００３４】
＜変形例１＞
図６は、変形例１に係る光源モジュールの平面図である。第１の実施の形態に係る光源モジュール１は、レンズ５の第２の面５ｂの形状を円形としたが、変形例１の光源モジュール１は、矩形状としたものである。ＬＥＤ素子４は、レンズ５の側面５ｃに沿って配置されている。このようなレンズ５の形状やＬＥＤ素子４の配置としても、第１の実施の形態と同様の光学特性を得ることができる。
【００３５】
［第２の実施の形態］
図７は、本発明の第２の実施の形態に係る広告看板を示し、（ａ）は（ｂ）のＣ−Ｃ線断面図、（ｂ）は（ａ）に示す構成から広告表示部を取り除いた平面図である。
【００３６】
この広告看板１００は、開口１１１を有する略箱型の筐体１１０と、開口１１１に設けられた広告表示部１２０と、筐体１１０の背面板１１２に格子状に配列されて取り付けられ、広告表示部１２０に背面側から照明光を照射する複数の光源モジュール１とを備える。広告看板１００は、面状発光装置の一例である。
【００３７】
筐体１１０は、図７（ａ）に示すように、背面板１１２と、４つの側面板１１３と、開口１１１に配置された広告表示部１２０とを備える。
【００３８】
筐体１１０は、アルミニウム等の金属、又はポリカーボネート等の樹脂から形成されている。背面板１１２及び側面板１１３の内面に、光の反射効率を高めるため、アルミニウムシート等の金属シートを貼り付けてもよい。なお、金属シートの代わりに、白色塗装を施してもよく、筐体１１０を白色の樹脂材料から形成してもよい。
【００３９】
広告表示部１２０は、例えば、広告板１２２を保護する透明樹脂、透明ガラス等からなる透明板１２１と、広告が印刷された広告板１２２と、透明樹脂、透明ガラス等からなり、表面又は裏面に微細な凹凸を有して入射光を散乱させる散乱板１２３とを積層して構成されている。なお、散乱板１２３は、散乱材入りの樹脂板を用いてもよい。
【００４０】
光源モジュール１は、図７（ｂ）に示すように、ベース２の側面２ｃが隣の光源モジュール１のベース２の側面２ｃに接触するように背面板１１２にネジ止めされている。なお、光源モジュール１は、ベース２の間に隙間を設けて配列してもよい。
【００４１】
図８は、基板３に形成された点灯回路の一例を示す図である。点灯回路３０は、入力端子３１ａ〜３１ｄと、直列に接続された４つのＬＥＤ素子４Ａと、直列接続した２つのＬＥＤ素子４Ｂが並列に接続された４つのＬＥＤ素子４Ｂと、ＬＥＤ４Ａ、４Ｂへの電流を調整する複数の抵抗３２、３３と、ダイオード素子３４とを備える。図１に示すリード線３５を介して点灯回路３０の入力端子３１ａ〜３１ｄに電源を供給すると、図１において対角方向に配置されたＬＥＤ素子４Ａは、他のＬＥＤ素子４Ｂの２倍の電流が流れ、ＬＥＤ素子４Ａは、ＬＥＤ素子４Ｂの約２倍の光量の光を出射する。
【００４２】
（広告看板の動作）
リード線３５を介して各光源モジュール１のＬＥＤ素子４ＡにＬＥＤ素子４Ｂの２倍の電流を供給すると、ＬＥＤ素子４ＡはＬＥＤ素子４Ｂの約２倍の光量の光を出射する。このため、光源モジュール１の対角方向の間に対応する広告表示部１２０の箇所における輝度が光源モジュール１の縦方向及び横方向の間に対応する広告表示部１２０の箇所における輝度とほぼ等しくなる。
【００４３】
また、第１の実施の形態に係る光源モジュール１の動作でも説明したように、レンズ５の側面５ｃ近傍に配置されたＬＥＤ素子４から出射された光は、散乱部５２の機能により、一部の光が第２の面５ｂから上方に出射しつつレンズ５の中心部まで伝搬することから、第２の面５ｂ全体が出射面となる。
【００４４】
このため、光源モジュール１の上方の広告表示部１２０の照射範囲は輝度むらが抑制される。光源モジュール１から上方に出射した光は直接広告表示部１２０に到達し、一部は筐体１１０の側面板１１３や背面板１１２の内面で反射して広告表示部１２０に到達する。このようにして広告表示部１２０が明るく照らされ、広告内容を認識することができる。
【００４５】
（第２の実施の形態の作用、効果）
本実施の形態の広告看板１００によれば、以下の作用、効果を奏する。
（１）対角方向のＬＥＤ素子４ＡをＬＥＤ素子４Ｂよりも多い光量の光を出射させているので、光源モジュール１の対角方向の間に対応する広告表示部１２０の箇所における輝度が光源モジュール１の縦方向及び横方向の間に対応する広告表示部１２０の箇所における輝度とほぼ等しくなる。この結果、広告看板１００を薄型化しても、広告表示部１２０の輝度むらを抑制することができる。
（２）光源モジュール１を背面板１１２上に設置することで、８個のＬＥＤ素子４を設置したことになるので、ＬＥＤ素子４を個々に設置する場合と比較して設置作業が容易になる。
【００４６】
＜変形例２＞
図９（ａ）は、比較例に係るレンズ５の散乱部５２の配列を説明するための要部平面図、図９（ｂ）は、変形例２に係るレンズ５の散乱部５２の配列を説明するための要部平面図である。図９中、黒丸で示しているのは、散乱部５２である。
【００４７】
図９（ａ）に示す比較例は、対角方向（４５°方向）のピッチｐを所定の値（例えば、１ｍｍ）とした六方配列により散乱部５２を配列したものである。図９（ｂ）に示す変形例２は、縦方向及び横方向のピッチｐを図９（ａ）と同じ値（例えば、１ｍｍ）として散乱部５２を格子配列により配列したものである。すなわち、変形例２は、光源モジュール１を格子状に配列した場合に、散乱部５２の対角方向のピッチを他の方向のピッチよりも大きくなるように配列したものである。
【００４８】
対角方向の散乱部５２の間隔ｄは、図９（ｂ）に示す格子配列とすることにより、図９（ａ）に示す六方配列の場合よりも広くなり、散乱部５２に入射した光が対角方向に伝搬しやすくなり、対角方向の輝度を上げることが可能になる。したがって、第２の実施の形態のように対角方向に位置するＬＥＤ素子４Ａに供給する電流を縦方向及び横方向に位置するＬＥＤ素子４Ｂに供給する電流の２倍まで大きくしなくても、又は両者への電流を等しくしても、対角方向の輝度むらを抑制することができる。
【００４９】
（シミュレーション）
図１０は、実施例の看板と比較例の看板について行ったシミュレーション結果を示す図である。シミュレーションで用いた看板を説明する。看板のサイズは、底面（内寸）を３００ｍｍ×３００ｍｍ、高さ（内寸）を３０ｍｍとした。光源モジュール１のレイアウトは、ピッチＰを１００ｍｍ、５行×５列の格子状の配列とした。ただし、図９では、簡略化して示すため、３行×３列の配列とした。広告表示部１２０における中央の点をＡ点、Ａ点から横方向に５０ｍｍ移動した点（中央の光源モジュール１と右隣の光源モジュール１との中間点）をＢ点、Ａ点から対角方向に７０．５ｍｍ移動した点（中央の光源モジュール１と右上隣の光源モジュール１との中間点）をＣ点とする。
【００５０】
比較例では、光源モジュール１の各ＬＥＤ素子４に同一の電流値（３０ｍＡ）を供給した。実施例では、縦方向及び横方向に配置したＬＥＤ素子４Ｂに１５ｍＡを供給し、対角方向に配置したＬＥＤ素子４Ｂに３０ｍＡを供給した。
【００５１】
比較例では、Ｃ点の照度がＢ点の照度よりも小さいため、照度比Ｃ／Ｂが０．９７であった。一方、実施例では、Ｃ点の照度がＢ点の照度とほぼ等しくなったため、照度比Ｃ／Ｂが１．００に改善された。
【００５２】
本実施例によれば、看板係数＝筐体の高さ（内寸）／光源モジュールのピッチＰ＝３０ｍｍ／１００ｍｍ＝０．３という小さい値を実現することができた。
【００５３】
なお、本発明の実施の形態は、上記各実施の形態に限定されるものではなく、本発明の要旨を変更しない範囲内で種々に変形、実施が可能である。
【００５４】
また、本発明の要旨を変更しない範囲内で、上記各実施の形態の構成要素の一部を省くことが可能である。
【符号の説明】
【００５５】
１…光源モジュール、２…ベース、２ａ…上面、２ｂ…下面、２ｃ…側面、２ｄ…溝、２ｅ…穴、２ｆ…長穴、２ｇ…溝、３…基板、４、４Ａ、４Ｂ…ＬＥＤ素子、５…レンズ、５ａ…第１の面、５ｂ…第２の面、５ｃ…側面、３０…点灯回路、３１ａ-３１ｄ…入力端子、３２…抵抗、３４…ダイオード素子、３５…リード線、５０…凹部、５０ａ…第１入射面、５０ｂ…第２入射面、５１…反射面、５２…散乱部、５３…凸部、５３ａ…第１の領域、５３ｂ…第２の領域、１００…広告看板、１１０…筐体、１１１…開口、１１２…背面板、１１３…側面板、１２０…広告表示部、１２１…透明板、１２２…広告板、１２３…散乱板
【図１】
2019125523.tif 000003
【図２】
2019125523.tif 000004
【図３】
2019125523.tif 000005
【図４】
2019125523.tif 000006
【図５】
2019125523.tif 000007
【図６】
2019125523.tif 000008
【図７】
2019125523.tif 000009
【図８】
2019125523.tif 000010
【図９】
2019125523.tif 000011
【図１０】
2019125523.tif 000012